(57)【要約】【課題】通信品質が劣化したような場合におけるパケットロスを低減すること。【解決手段】互いに主従関係にあるマスタ基地局１０とセカンダリ基地局２０と、双方の基地局との間でＤｕａｌＣｏｎｎｅｃｔｉｖｉｔｙ通信を実行する端末装置３０とを含む無線通信システムにおけるセカンダリ基地局２０において、セカンダリ基地局２０と端末装置３０との間の無線リンク上のいずれかのセルにおける通信品質の劣化を検出した場合に、使用セルの切り替え処理を実施し、通信品質が劣化したセルに対応する未送信データを切り替え先のセルに転送する。【選択図】図１
2015177400.tif 000002
【特許請求の範囲】
【請求項１】
互いに主従関係にあるマスタ基地局とセカンダリ基地局と、双方の基地局との間でＤｕａｌＣｏｎｎｅｃｔｉｖｉｔｙ通信を実行する端末装置とを含む無線通信システムにおける通信装置であって、
複数のコンポーネントキャリアのいずれかが、前記マスタ基地局もしくは前記セカンダリ基地局の通信のためのプライマリセルもしくはセカンダリセルとして設定されており、
前記プライマリセルにおいてはアップリンクとダウンリンクの通信が可能であり、前記セカンダリセルにおいてはダウンリンク通信のみが可能であり、
前記通信装置は、
前記セカンダリ基地局と前記端末装置との間の無線リンク上のいずれかのセルにおける通信品質の劣化を検出した場合に、使用セルの切り替え処理を実施する制御部と、
前記セルのいずれかを用いて端末装置に送信すべき未送信データを記憶する記憶部と、
前記制御部においてセルの切り替え処理が実施された場合に、前記記憶部に記憶された未送信データから、通信品質が劣化したセルに対応する未送信データを読み出して、切り替え先のセルに転送する送信部と、
を備える通信装置。
【請求項２】
前記制御部が前記セカンダリ基地局のセカンダリセルにおける通信品質の劣化を検出した場合、前記送信部は、前記セカンダリ基地局における切り替え先である他のセカンダリセルに対して、前記未送信データを転送する
ことを特徴とする請求項１に記載の通信装置。
【請求項３】
前記制御部が前記セカンダリ基地局のプライマリセルにおける通信品質の劣化を検出した場合、前記送信部は、前記セカンダリ基地局における切り替え先であるプライマリセルに対して、前記未送信データを転送する
ことを特徴とする請求項１に記載の通信装置。
【請求項４】
前記制御部が前記セカンダリ基地局における使用中のすべてのセルにおける通信品質の劣化を検出した場合、前記送信部は、前記マスタ基地局のプライマリセルに対して、前記記憶部に記憶されているすべての未送信データを転送する
ことを特徴とする請求項１に記載の通信装置。
【請求項５】
前記送信部は、前記マスタ基地局のプライマリセルに前記記憶部に記憶されているすべての未送信データを転送する場合、転送されたすべての未送信データは、前記マスタ基地局のプライマリセルを介して、他のセカンダリ基地局であって新たにＤｕａｌＣｏｎｎｅｃｔｉｖｉｔｙ通信の対象とすべきセカンダリ基地局のプライマリセルに対して転送される
ことを特徴とする請求項４に記載の通信装置。
【請求項６】
前記送信部は、前記マスタ基地局のプライマリセルに前記記憶部に記憶されているすべての未送信データを転送する場合、他のセカンダリ基地局であって新たにＤｕａｌＣｏｎｎｅｃｔｉｖｉｔｙ通信の対象とすべきセカンダリ基地局のプライマリセルに対して、前記記憶部に記憶されているすべての未送信データを直接転送する
ことを特徴とする請求項１に記載の通信装置。
【請求項７】
互いに主従関係にあるマスタ基地局とセカンダリ基地局と、双方の基地局との間でＤｕａｌＣｏｎｎｅｃｔｉｖｉｔｙ通信を実行する端末装置とを含む無線通信システムにおける通信方法であって、
複数のコンポーネントキャリアのいずれかが、前記マスタ基地局もしくは前記セカンダリ基地局の通信のためのプライマリセルもしくはセカンダリセルとして設定されており、
前記プライマリセルにおいてはアップリンクとダウンリンクの通信が可能であり、前記セカンダリセルにおいてはダウンリンク通信のみが可能であり、
前記通信方法は、
前記セカンダリ基地局と前記端末装置との間の無線リンク上のいずれかのセルにおける通信品質の劣化を検出した場合に、使用セルの切り替え処理を実施するステップと、
セルの切り替え処理が実施された場合に、通信品質が劣化したセルにおける未送信データを切り替え先のセルに対して転送するステップと、
を含む通信方法。
【請求項８】
互いに主従関係にあるマスタ基地局とセカンダリ基地局と、双方の基地局との間でＤｕａｌＣｏｎｎｅｃｔｉｖｉｔｙ通信を実行する端末装置とを含む無線通信システムにおけるプログラムであって、
複数のコンポーネントキャリアのいずれかが、前記マスタ基地局もしくは前記セカンダリ基地局の通信のためのプライマリセルもしくはセカンダリセルとして設定されており、
前記プライマリセルにおいてはアップリンクとダウンリンクの通信が可能であり、前記セカンダリセルにおいてはダウンリンク通信のみが可能であり、
前記プログラムは、
前記セカンダリ基地局と前記端末装置との間の無線リンク上のいずれかのセルにおける通信品質の劣化を検出した場合に、使用セルの切り替え処理を実施するステップと、
セルの切り替え処理が実施された場合に、通信品質が劣化したセルにおける未送信データを切り替え先のセルに対して転送するステップと、
をコンピュータに実行させるためのプログラム。
【発明の詳細な説明】
【技術分野】
【０００１】
本発明は、無線通信システムの制御技術に関する。
【背景技術】
【０００２】
近年、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）においては、ＭＡＣ層より上位の層においてＵ／Ｃ分離により２以上の基地局（ｅＮｏｄｅＢ。以下、ｅＮＢという。）において無線端末装置（Ｕｓｅｒ  Ｅｑｕｉｐｍｅｎｔ。以下、ＵＥという。）と接続するための技術であるＤｕａｌ  Ｃｏｎｎｅｃｔｉｖｉｔｙが議論されている。
【０００３】
Ｄｕａｌ  Ｃｏｎｎｅｃｔｉｖｉｔｙは、光ファイバに代表されるような、遅延が生じにくい、いわゆるｉｄｅａｌ  Ｂａｃｋｈａｕｌ環境が望めない場所においても、通信の信頼性、スループットを向上させることができる技術である。
【０００４】
Ｄｕａｌ  Ｃｏｎｎｅｃｔｉｖｉｔｙ通信においては、ＵＥに接続される基地局として、主従の関係であるマスタとセカンダリの２つの基地局（ＭｅＮＢ（Ｍａｓｔｅｒ  ｅＮＢ）、ＳｅＮＢ（Ｓｅｃｏｎｄａｒｙ  ｅＮＢ））が存在する。ここで、ＭｅＮＢとＳｅＮＢは、Ｎｏｎ−ｉｄｅａｌ  Ｂａｃｋｈａｕｌと呼ばれる遅延が生じうる経路にて接続されている。ＳｅＮＢはＵ−ｐｌａｎｅのみを扱うが、ＭｅＮＢは、ＵＥに送信されるべきＲＲＣメッセージを生成するなど、Ｃ−ｐｌａｎｅをも制御する（たとえば、非特許文献１、２を参照。）。
【先行技術文献】
【非特許文献】
【０００５】
【非特許文献１】３ｇｐｐ  ＴＳ３６．３００  Ｖｅｒ．１２．０．０
【非特許文献２】３ｇｐｐ  ＴＲ３６．８４２  Ｖｅｒ．１２．０．０
【発明の概要】
【発明が解決しようとする課題】
【０００６】
従来におけるＤｕａｌ  Ｃｏｎｎｅｃｔｉｖｉｔｙが形成されている無線通信システムにおいては、ＵＥとＳｅＮＢとの間の無線リンクにおける異常状態（Ｓｅｃｏｎｄａｒｙ  ｃｅｌｌ  ｇｒｏｕｐ  Ｒａｄｉｏ  Ｌｉｎｋ  Ｆａｉｌｕｒｅ。以下、Ｓ−ＲＬＦという。）や、ＵＥの移動に伴う通信品質の劣化、エリア内の通信量の増大に伴うスループットの低下など、通信品質が劣化してしまったような場合、ＵＥ、ＭｅＮＢ、ＳｅＮＢのそれぞれにおいて通信品質の劣化を認識できたとしても、無線通信システム全体における通信品質の劣化に対する処理に時間を要してしまっていた。そのため、当該通信品質の劣化の回復の遅れが発生し、Ｄｕａｌ  Ｃｏｎｎｅｃｔｉｖｉｔｙの再確立に影響を与えてしまい、ＵＥに対するデータパケットが喪失されてしまうような場合があった。
【０００７】
本発明はかかる課題に鑑みてなされたものであり、その目的は、通信品質が劣化したような場合においても、ＵＥに対するデータパケットを速やかに保護できる通信装置、通信方法、および、プログラムを提供することにある。
【課題を解決するための手段】
【０００８】
本発明のある態様は、通信装置に関する。この通信装置は、互いに主従関係にあるマスタ基地局とセカンダリ基地局と、双方の基地局との間でＤｕａｌＣｏｎｎｅｃｔｉｖｉｔｙ通信を実行する端末装置とを含む無線通信システムにおける通信装置である。ここで、複数のコンポーネントキャリアのいずれかが、前記マスタ基地局もしくは前記セカンダリ基地局の通信のためのプライマリセルもしくはセカンダリセルとして設定されている。また、前記プライマリセルにおいてはアップリンクとダウンリンクの通信が可能であり、前記セカンダリセルにおいてはダウンリンク通信のみが可能である。ここで、前記通信装置は、前記セカンダリ基地局と前記端末装置との間の無線リンク上のいずれかのセルにおける通信品質の劣化を検出した場合に、使用セルの切り替え処理を実施する制御部と、前記セルのいずれかを用いて端末装置に送信すべき未送信データを記憶する記憶部と、前記制御部においてセルの切り替え処理が実施された場合に、記憶部に記憶された未送信データから、通信品質が劣化したセルに対応する未送信データを読み出して、切り替え先のセルに転送する送信部と、を備える。
【０００９】
このような態様によると、通信品質が劣化したセルに対応する未送信データを切り替え先のセルに転送することによって、無線端末装置に対するデータパケットを速やかに保護できる。
【００１０】
なお、以上の構成要素の任意の組み合わせ、本発明の表現を方法、装置、システム、コンピュータプログラムなどの間で変換したものもまた、本発明の態様として有効である。
【発明の効果】
【００１１】
本発明によると、通信品質が劣化したような場合においても、ＵＥに対するデータパケットを速やかに保護できる。
【発明を実施するための形態】
【００１２】
（本発明の概要）
本発明の実施例を説明する前に、まず、本発明の概要を述べる。本発明は、Ｄｕａｌ  Ｃｏｎｎｅｃｔｉｖｉｔｙ通信におけるセカンダリ基地局と端末との間の無線リンク上で発生した異常状態（Ｓ−ＲＬＦ）などの通信品質が劣化したような状態（以下、通信品質劣化状態という。）から速やかに復旧するための技術に関する。また、復旧と共に、速やかにＵＥに対するデータパケットを保護するための技術に関する。
【００１３】
通信品質劣化状態を速やかに復旧するためには、ＭｅＮＢにおいて通信品質劣化状態が認識された上で、通信品質劣化状態にかかるセルの変更や、ＵＥの再設定（Ｒｅｃｏｎｆｉｇｒａｔｉｏｎ）などの処理が必要とされる。しかしながら、ＵＥ、ＳｅＮＢのそれぞれにおいて検知されたとしても、ＭｅＮＢへの報告手順については規格書上規定されていなかったため、ＭｅＮＢが通信品質劣化状態を認識するまでに時間を要することがあった。
【００１４】
本発明においては、ＵＥ、ＳｅＮＢのそれぞれにおいて通信品質劣化状態を検知した場合、速やかにＭｅＮＢに報告する構成とすることで、通信品質劣化状態の状態から速やかに復旧することとしている。ＭｅＮＢに報告される内容としては、通信品質劣化状態が発生した事実のほか、発生要因、ならびに、発生セルに関する情報を含めることによって、通信品質劣化状態の復旧のための再設定を速やかに行える構成とした。また、復旧のための再設定とともに、通信品質劣化状態が発生したセルについてバッファされている未送信データを速やかに切り替え先のセルに転送することとした。
【００１５】
以上の態様により、以下のような効果が得られる。
・ＭｅＮＢにＳ−ＲＬＦなどの通信品質劣化状態の詳細を知らせることができる。
・ＵＥもしくはＳｅＮＢからの報告内容に応じた適切なアクションをＭｅＮＢに実施させることができる。
・ＳｅＮＢは、自身のセカンダリセル上の通信品質劣化状態を制御できる。
・ＵＥは、速やかに、通信品質劣化状態から回復できる。
・ＵＥに対するパケットのロスを低減できる。
・ＵＥにおけるサービス中断時間を低減できる。
【００１６】
（本発明の実施形態にかかる無線通信システムの構成例）
ここで、本発明の実施形態にかかる無線通信システムの構成例について説明する。図１は、本発明の実施形態にかかる無線通信システム１００の構成例を示す図である。無線通信システム１００は、ＭｅＮＢ１０とＳｅＮＢ２０とＵＥ３０とを含む。
【００１７】
ＭｅＮＢ１０とＳｅＮＢ２０は、双方とも基地局装置である。また、ＭｅＮＢ１０とＳｅＮＢ２０は、互いに主従関係にあり、後者が前者に属している関係となる。また、ＭｅＮＢ１０とＳｅＮＢ２０は、有線もしくは無線にて接続されている。図１においては、図示の都合上、ＭｅＮＢ１０をマクロ基地局、ＳｅＮＢ２０をフェムト基地局として図示しているが、これにかぎらず、ＳｅＮＢ２０もマクロ基地局であっても本発明を適用することができることは当業者に容易に理解されるところである。
【００１８】
ＭｅＮＢ１０は、図示するごとく、複数のコンポーネントキャリアからなるＭＣＧ４０（Ｍａｓｔｅｒ  Ｃｅｌｌ  Ｇｒｏｕｐ）を用いて、ＵＥ３０との間で通信を実施する。同様に、ＳｅＮＢ２０は、複数のコンポーネントキャリアからなるＳＣＧ５０（Ｓｅｃｏｎｄａｒｙ  Ｃｅｌｌ  Ｇｒｏｕｐ）を用いて、ＵＥ３０との間で通信を実施する。コンポーネントキャリアとは、複数のサブキャリアから構成される周波数リソースであり、所定の個数のサブキャリアを１単位として、ＵＥ３０との通信リソースとして、以下のようにＰＣｅｌｌ、Ｓｃｅｌｌ、ＰＳｃｅｌｌが割り当てられるものである。
【００１９】
図１においては、ＭＣＧ４０として、ＭｅＮＢ１０のプライマリセルであるＰＣｅｌｌ４２とＭｅＮＢ１０のセカンダリセルであるＳｃｅｌｌ４４が設定されており、セル４６は、いずれのＵＥにもセルが割り当てられていないＮｏｔＳｅｒｖｉｎｇＣｅｌｌとなる。また、ＳＣＧ５０として、ＳｅＮＢ２０のプライマリセルであるＰＳｃｅｌｌ５４とＳｅＮＢ２０のセカンダリセルであるＳｃｅｌｌ５２が設定されている他、ＮｏｔＳｅｒｖｉｎｇＣｅｌｌ５６が存在する。
【００２０】
ここで、ＭｅＮＢ１０もしくはＳｅＮＢ２０は、プライマリセル（ＰＣｅｌｌ４２、ＰＳｃｅｌｌ５４）を用いると、ＵＥ３０との間でアップリンクとダウンリンクの通信が可能であり、セカンダリセル（Ｓｃｅｌｌ４４、Ｓｃｅｌｌ５２）を用いると、ＵＥ３０との間でダウンリンク通信のみが可能である。
【００２１】
ＰＣｅｌｌ４２においては、ＵＥ３０との間でＵ−ｐｌａｎｅおよびＣ−ｐｌａｎｅの通信が可能である。一方、ＰＣｅｌｌ４２以外のセルであるＰＳｃｅｌｌ５４、Ｓｃｅｌｌ４４、Ｓｃｅｌｌ５２においては、ＵＥ３０との間でＵ−ｐｌａｎｅの通信のみが可能となる。なお、図１においては、ＭＣＧ４０もしくはＳＣＧ５０を用いたＵＥ３０とのＵ−ｐｌａｎｅ通信を実線の矢印で図示し、Ｃ−ｐｌａｎｅ通信を破線の矢印で図示する。後述する同様の無線通信システムを表す図においても同様である。
【００２２】
（ＭｅＮＢ１０の構成例）
図２は、図１のＭｅＮＢ１０の構成例を示す図である。ＭｅＮＢ１０は、ＭｅＮＢ送信部１２と、ＭｅＮＢ制御部１４と、ＭｅＮＢ記憶部１６とを含む。
【００２３】
ＭｅＮＢ送信部１２は、ＭＣＧ４０のいずれかのコンポーネントキャリアに設定されたセルを用いて、ＵＥ３０との間で無線通信を行う。また、ＭｅＮＢ送信部１２は、ＳｅＮＢ２０との間で有線もしくは無線による通信を行ってもよい。これらの無線通信、有線通信は、公知の変復調技術、アンテナ技術などが用いられてもよい。後述するＳｅＮＢ２０、ＵＥ３０における送信部においても同様である。
【００２４】
ＭｅＮＢ記憶部１６は、ＵＥ３０あるいはＳｅＮＢ２０に対して、送信すべき情報を記憶し、管理する。
【００２５】
ＭｅＮＢ制御部１４は、ＵＥ３０あるいはＳｅＮＢ２０との間の通信を制御する。また、ＭｅＮＢ制御部１４は、当該ＭｅＮＢ１０と、ＵＥ３０、ＳｅＮＢ２０との間でＤｕａｌ  Ｃｏｎｎｅｃｔｉｖｉｔｙ通信を行う場合、特に、ＳｅＮＢ２０とＵＥ３０との間の無線リンク上のいずれかのセルの通信品質劣化状態に関する情報を受信した場合、受信した情報に応じて適切なアクション、たとえば、以下の処理をおこなってもよい。
・ＭＳＧ４０におけるＰＣｅｌｌ４２、Ｓｃｅｌｌ４４の設定（Ａｃｔｉｖａｔｉｏｎ／Ｄｅａｃｔｉｖａｔｉｏｎ）、解除（Ｒｅｌｅａｓｅ）、変更処理（Ｍｏｄｉｆｉｃａｔｉｏｎ）、新たなＳｅＮＢ２０への変更処理
・ＵＥ３０に対する設定／再設定処理（Ｃｏｎｆｉｇｒａｔｉｏｎ／Ｒｅｃｏｎｆｉｇｒａｔｉｏｎ）
・ＳｅＮＢ２０に対する、ＰＳＣｅｌｌ５４、Ｓｃｅｌｌ５２の設定、解除、変更処理
・ＳｅＮＢ２０に対する、切り替え先セルへの未送信データの転送処理の指示
・ＳｅＮＢ２０に対する、他のＳｅＮＢへの切り替え指示。ならびに、切り替え先のＳｅＮＢへの未送信データの転送処理の指示
【００２６】
ここで、Ｓ−ＲＬＦについて説明する。Ｓ−ＲＬＦが発生した原因は、以下の３つのケースに分類でき、それぞれのケースにおいてＳｅＮＢ２０もしくはＵＥ３０によって以下に述べる処理にて検出可能である。これらの検出は、公知の技術を用いて実施可能であることは当業者に理解されるところである。
【００２７】
（１）ＰｈｙｓｉｃａｌＬａｙｅｒにおける問題に起因した原因
・ＳｅＮＢ２０において、ＵＥ３０からのＣＱＩ、ＨＡＲＱフィードバック情報に基づいた通信品質を指標として検出。
・ＵＥ３０において、無線リンク監視（ＲａｄｉｏＬｉｎｋＭｏｎｉｔｏｒｉｎｇ）による通信品質の劣化の程度に基づいて検出。
【００２８】
（２）ＭＡＣ (medium access control)Ｌａｙｅｒにおける問題に起因した原因
・ＵＥ３０において、Ｃｏｎｔｅｎｔｉｏｎ−ｂａｓｅｄランダムアクセスにおける再送回数に基づいた検出。
・ＳｅＮＢ２０もしくはＵＥ３０において、Ｃｏｎｔｅｎｔｉｏｎ−Ｆｒｅｅランダムアクセスにおける再送回数に基づいた検出。
【００２９】
（３）ＲＬＣ (radio link control) Ｌａｙｅｒにおける問題に起因した原因
・ＲＬＣ  ＡＭ  ｅｎｔｉｔｙにおけるＳｅＮＢ２０による下り無線リンクの最大再送回数を超えた場合の検出、あるいは、ＵＥ３０による上り無線リンクの最大再送回数を超えた場合の検出
・ＲＬＣ  ＵＭ  ｅｎｔｉｔｙにおけるＳｅＮＢ２０による上り／下り無線リンクの最大再送回数を超えた場合の検出、あるいは、ＵＥ３０による上り無線リンクの最大再送回数を超えた場合の検出
【００３０】
ＭｅＮＢ１０がＳｅＮＢ２０もしくはＵＥ３０から受信する通信品質劣化状態に関する情報は、通信品質劣化状態の発生原因および／または発生セルを特定するための関する情報が含まれていてもよい。通信品質劣化状態の発生原因は、上述した３つの原因を特定する原因識別子を定義して、その原因識別子を情報に含めてもよい。また、通信品質劣化状態の発生セルについては、発生セルにかかるセルＩＤを情報に含めてもよい。また、通信品質劣化状態の発生原因と発生セルの双方を含める場合、たとえば、後述する１０個のタイプのいずれかのタイプを示す識別情報を含めてもよい。
【００３１】
ここで、ＳｅＮＢ２０とＵＥ３０の双方から通信品質劣化状態に関する情報を受信した場合、ＭｅＮＢ制御部１４は、いずれか一方の情報にのみ従ったアクションを実施してもよい。また、ＭｅＮＢ制御部１４は、ＵＥ３０もしくはＳｅＮＢ２０のいずれか一方の情報を優先して判断してもよい。また、ＭｅＮＢ制御部１４は、過去に受信した通信品質劣化状態に関する情報を考慮して、優先すべき情報を選択してもよい。
【００３２】
（ＳｅＮＢ２０の構成例）
図３は、図１のＳｅＮＢ２０の構成例を示す図である。ＳｅＮＢ２０は、ＳｅＮＢ送信部２２と、ＳｅＮＢ制御部２４と、ＳｅＮＢ記憶部２６とを含む。
【００３３】
ＳｅＮＢ制御部２４は、上述した３つのケースのうちのいずれかの処理を行って、ＳｅＮＢ２０とＵＥ３０との間の無線リンク上に発生した通信品質劣化状態にかかるセルを検出し、また、通信品質劣化状態の原因を推定する。通信品質劣化状態を検出した場合、ＳｅＮＢ制御部２４は、通信品質劣化状態が発生した原因に関する情報を含ませる。もしくは、通信品質劣化状態が発生した原因に関する情報の代わりに、通信品質劣化状態が発生したセルを特定するための情報を含ませてもよいし、通信品質劣化状態が発生した原因に関する情報に加えて、通信品質劣化状態が発生したセルを特定するための情報も含ませてもよい。
【００３４】
また、ＳｅＮＢ制御部２４は、ＳｅＮＢ２０とＵＥ３０との間の無線リンク上のいずれかのセルにおける通信品質の劣化や通信品質劣化状態を検出した場合に、使用セルの切り替え処理を実施する。
【００３５】
ＳｅＮＢ記憶部２６は、セルごとに、ＵＥ３０に送信すべき未送信データを記憶する。ＳｅＮＢ記憶部２６は、ＳｅＮＢ送信部２２の指示にしたがって、指示にかかるセルに対応した未送信データを読み出す。
【００３６】
ＳｅＮＢ送信部２２は、ＳｅＮＢ制御部２４において検出した通信品質劣化状態に関する情報をＭｅＮＢ１０に通知する。ＳｅＮＢ制御部２４において、ＳｅＮＢ２０のプライマリセルＰＳｃｅｌｌ５４における無線リンク上の通信品質劣化状態が検出された場合、ＳｅＮＢ送信部２２は、ＭｅＮＢ１０のプライマリセルＰＣｅｌｌ４２に対して、通信品質劣化状態を通知する。
【００３７】
また、ＳｅＮＢ制御部２４において、ＳｅＮＢ２０のプライマリセルＰＳｃｅｌｌ５４以外のセルにおける無線リンク上の通信品質劣化状態が検出された場合、ＳｅＮＢ送信部２２は、ＭｅＮＢ１０のプライマリセルＰＣｅｌｌ４２に対して、通信品質劣化状態に関する情報を通知する。
【００３８】
ここで、ＭｅＮＢ１０に通知されるＳ−ＲＬＦに関する情報は、以下のように定義されてもよい。
・S-RLF indication type 7: PHY layer problem on PScell54, if CQI and HARQ feedback based detection
・S-RLF indication type 8: PHY layer problem on Scell52, if CQI and HARQ feedback based detection
・S-RLF indication type 9: RLC layer DL problem on PScell54
・S-RLF indication type 10: RLC layer DL problem on Scell52
【００３９】
また、ＳｅＮＢ記憶部２６は、ＵＥ３０に送信すべき未送信データをセルごとに記憶する。ＳｅＮＢ制御部２４は、ＳｅＮＢ２０とＵＥ３０との間の無線リンク上のいずれかのセルにおける通信品質の劣化を検出した場合に、使用セルの切り替え処理を実施する。ＳｅＮＢ送信部２２は、ＳｅＮＢ制御部２４においてセルの切り替え処理が実施された場合に、通信品質が劣化したセルに対応するＳｅＮＢ記憶部２４に記憶された未送信データを切り替え先のセルに転送する。切り替え先のセルは、当該ＳｅＮＢ２０のすべてのセルをリリースしてＳｅＮＢ２０自体を切り替えるような場合、ＭｅＮＢ１０、もしくは、他のＳｅＮＢにおけるセルであってもよい。切り替え先の他のＳｅＮＢ、切り替え先のセルは、ＭｅＮＢから指示されてもよい。
【００４０】
具体的に説明する。ＳｅＮＢ送信部２２は、ＳｅＮＢ制御部２４がＳｅＮＢ２０のセカンダリセルにおける通信品質の劣化を検出した場合、ＳｅＮＢ２０における切り替え先である他のセカンダリセルに対して、未送信データを転送する。また、ＳｅＮＢ送信部２２は、ＳｅＮＢ制御部２４がＳｅＮＢ２０のプライマリセルにおける通信品質の劣化を検出した場合、ＳｅＮＢ２０における切り替え先であるプライマリセルに対して、未送信データを転送してもよい。
【００４１】
また、ＳｅＮＢ送信部２２は、ＳｅＮＢ制御部２４がＳｅＮＢ２０における使用中のすべてのセルにおける通信品質の劣化を検出した場合、ＭｅＮＢ１０のプライマリセルに対して、ＳｅＮＢ記憶部２６に記憶されているすべての未送信データを転送してもよい。また、ＳｅＮＢ送信部２２は、ＭｅＮＢ１０のプライマリセルにＳｅＮＢ記憶部２６に記憶されているすべての未送信データを転送する場合、転送されたすべての未送信データは、ＭｅＮＢ１０のプライマリセルを介して、他のＳｅＮＢであって新たにＤｕａｌＣｏｎｎｅｃｔｉｖｉｔｙ通信の対象とすべきＳｅＮＢのプライマリセルに対して転送されてもよい。また、ＳｅＮＢ送信部２２は、ＭｅＮＢ１０のプライマリセルにＳｅＮＢ記憶部２６に記憶されているすべての未送信データを転送する場合、他のＳｅＮＢであって新たにＤｕａｌＣｏｎｎｅｃｔｉｖｉｔｙ通信の対象とすべきＳｅＮＢのプライマリセルに対して、ＳｅＮＢ記憶部２６に記憶されているすべての未送信データを直接転送してもよい。
【００４２】
（ＵＥ３０の構成例）
図４は、図１のＵＥ３０の構成例を示す図である。ＵＥ３０は、ＵＥ送信部３２と、ＵＥ制御部３４と、ＵＥ記憶部３６と、ユーザＩＦ３８とを含む。
【００４３】
ＵＥ制御部３４は、上述した３つのケースのうちのいずれかの処理を行って、ＳｅＮＢ２０とＵＥ３０との間の無線リンク上に発生した通信品質劣化状態にかかるセルを検出し、また、通信品質劣化状態の原因を推定する。また、ＵＥ制御部３４は、通信品質劣化状態に関する情報に、当該異常状態が発生した原因に関する情報を含ませてもよい。もしくは、通信品質劣化状態が発生した原因に関する情報の代わりに、通信品質劣化状態が発生したセルを特定するための情報を含ませてもよいし、通信品質劣化状態が発生した原因に関する情報に加えて、通信品質劣化状態が発生したセルを特定するための情報も含ませてもよい。
【００４４】
ＵＥ送信部３２は、ＵＥ制御部３４において検出した通信品質劣化状態に関する情報をＭｅＮＢ１０もしくはＳｅＮＢ２０に通知する。ＵＥ制御部３４において、ＳｅＮＢ２０のプライマリセルであるＰＳｃｅｌｌ５４における無線リンク上の通信品質劣化状態を検出した場合、ＭｅＮＢ１０のプライマリセルＰＣｅｌｌ４２に対して、通信品質劣化状態に関する情報を通知する。
【００４５】
また、ＵＥ制御部３４において、ＳｅＮＢ２０のプライマリセルＰＳｃｅｌｌ５４以外のセル（Ｓｃｅｌｌ５２）における無線リンク上の通信品質劣化状態を検出した場合、ＵＥ送信部３２は、ＭｅＮＢ１０のプライマリセルＰＣｅｌｌ４２もしくはＳｅＮＢ２０のプライマリセルＰＳｃｅｌｌ５４に対して、通信品質劣化状態に関する情報を通知する。
【００４６】
ここで、ＭｅＮＢ１０もしくはＳｅＮＢ２０に通知されるＳ−ＲＬＦに関する情報は、以下のように定義されてもよい。なお、「ＲＬＭ」とは、Radio Link Monitoringの略であり、「if RLM」とは、無線リンクの品質を監視し、異常状態を検出したような場合を含む。
・S-RLF indication type 1: PHY layer problem on PScell54, if RLM
・S-RLF indication type 2: PHY layer problem on Scell52, if RLM
・S-RLF indication type 3: MAC layer random access problem on PScell54
・S-RLF indication type 4: MAC layer random access problem on Scell52
・S-RLF indication type 5: RLC layer UL problem on PScell54
・S-RLF indication type 6: RLC layer UL problem on Scell52
【００４７】
ユーザＩＦ３８は、画面インタフェースと、キーボードやタッチパネルなどのユーザからの入力を受け付ける入力インタフェースと、カメラなどの画像撮像手段を含んでもよい。
【００４８】
ＵＥ記憶部３６は、ＭｅＮＢ１０もしくはＳｅＮＢ２０から送信されたデータを記憶し、また、ＭｅＮＢ１０もしくはＳｅＮＢ２０に対して送信すべき、ユーザＩＦ３８を通じて得たデータを記憶してもよい。
【００４９】
以下、実施例１〜１０を用いて、本発明の実施例について具体的に説明する。実施例１〜５においては、ＵＥ３０とＳｅＮＢ２０の間における無線リンクのセルのいずれかがＳ−ＲＬＦ状態となったことを仮定している。また、説明の都合上、通信品質劣化状態がＳ−ＲＬＦであるとして説明を行うが、これに限らず、ＳＩＮＲやＥｂ／Ｉｏｒなどの所定の通信品質が劣化したようなケースでも本発明を適用できることは言うまでもない。また、実施例６〜１０は、通信品質劣化状態が検出された後のデータ転送処理についての具体例である。
【実施例１】
【００５０】
まず、実施例１について説明する。ここでは、図５と図６を用いて説明する。なお、既出の構成、動作については、同じ符号を用いることによってその説明を簡略化する。以下、本明細書において同様である。
【００５１】
図５は、実施例１にかかる第１無線通信システム１１０の構成例を示す図である。図６は、図５の動作例を示すシーケンス図である。実施例１は、図５に示す第１無線通信システム１１０において、図中に「ｘ」にて示したように、ＵＥ３０との通信用のセルであるＰＳｃｅｌｌ５４において発生したＳ−ＲＬＦを検出した場合におけるＳ−ＲＬＦに関する情報の通知に関する例である。以下においては、図５に示した（１）〜（４）と図６に示したＳ１０〜Ｓ１８とを対応させながら、実施例１のシーケンスを説明する。
【００５２】
（１）まず、ＵＥ３０が、ＵＥ制御部３４により、ＰＳｃｅｌｌ５４のＳ−ＲＬＦを検出する（Ｓ１０）。
【００５３】
（２）つぎに、ＵＥ３０は、ＭｅＮＢ１０におけるＰＣｅｌｌ４２に対して、S-RLF indication type 1、 type 3、もしくはtype 5が示されたＳ−ＲＬＦに関する情報を通知する（Ｓ１２）。S-RLF indication type 1、 type 3、もしくはtype 5の別は、ＵＥ制御部３４によるＳ−ＲＬＦの検出結果にしたがって、選択される。
【００５４】
（３）ここで、ＭｅＮＢ１０がＵＥ３０から通知されたＳ−ＲＬＦに関する情報を受信すると、受信した情報の内容に応じたアクションを実行する（Ｓ１４）。実行されるアクションとしては、たとえば、ＰＳｃｅｌｌ５４の変更処理を行い、さらに、Ｓｃｅｌｌ５２のactivation/deactivation処理を行ってもよい（Ｓ１６）。また、ＰＳｃｅｌｌ５４の変更先にふさわしいコンポーネントキャリアがＳＣＧ５０に存在しないような場合には、ＳｅＮＢ２０を他のＳｅＮＢ２０に変更する処理を行ってもよい（Ｓ１６）。
【００５５】
（４）最後に、ＭｅＮＢ１０は、実行したアクションにあわせて、ＵＥ３０の設定を変更するためのＲｅｃｏｎｆｉｇｕｒａｔｉｏｎ処理を実施する（Ｓ１６）。
【００５６】
以上のような態様によると、Ｄｕａｌ  Ｃｏｎｎｅｃｔｉｖｉｔｙの制御の中心となるべきＭｅＮＢ１０にＵＥ３０がＳ−ＲＬＦに関する情報を通知することによって、Ｓ−ＲＬＦの復旧を速やかに実行できることとなる。
【実施例２】
【００５７】
つぎに、実施例２について説明する。ここでは、図７と図８を用いて説明する。図７は、実施例２にかかる第２無線通信システム１２０の構成例を示す図である。図８は、図７の動作例を示すシーケンス図である。
【００５８】
実施例２は、図７に示す第２無線通信システム１２０において、図中に「ｘ」にて示したように、ＳｅＮＢ２０が、ＵＥ３０との通信用のセルであるＰＳｃｅｌｌ５４において発生したＳ−ＲＬＦを検出した場合におけるＳ−ＲＬＦに関する情報の通知に関する例である。以下においては、図７に示した（１）〜（４）と図８に示したＳ２０〜Ｓ２６とを対応させながら、実施例２のシーケンスを説明する。
【００５９】
（１）まず、ＳｅＮＢ２０が、ＳｅＮＢ制御部２４により、ＰＳｃｅｌｌ５４のＳ−ＲＬＦを検出する（Ｓ２０）。
【００６０】
（２）つぎに、ＳｅＮＢ２０は、ＭｅＮＢ１０におけるＰＣｅｌｌ４２に対して、S-RLF indication type 7、もしくはtype 9が示されたＳ−ＲＬＦに関する情報を通知する（Ｓ２２）。S-RLF indication type 7、もしくはtype 9の別は、ＳｅＮＢ制御部２４によるＳ−ＲＬＦの検出結果にしたがって、選択される。
【００６１】
（３）ここで、ＭｅＮＢ１０がＳｅＮＢ２０から通知されたＳ−ＲＬＦに関する情報を受信すると、受信した情報の内容に応じたアクションを実行する（Ｓ２４）。実行されるアクションとしては、たとえば、ＰＳｃｅｌｌ５４の変更処理を行い、さらに、Ｓｃｅｌｌ５２のactivation/deactivation処理を行ってもよい（Ｓ２６）。また、ＰＳｃｅｌｌ５４の変更先にふさわしいコンポーネントキャリアがＳＣＧ５０に存在しないような場合には、ＳｅＮＢ２０を他のＳｅＮＢに変更する処理を行ってもよい（Ｓ２６）。
【００６２】
（４）最後に、ＭｅＮＢ１０は、実行したアクションにあわせて、ＵＥ３０の設定を変更するためのＲｅｃｏｎｆｉｇｕｒａｔｉｏｎ処理を実施する（Ｓ２６）。
【００６３】
以上のような態様によると、Ｄｕａｌ  Ｃｏｎｎｅｃｔｉｖｉｔｙの制御の中心となるべきＭｅＮＢ１０にＳｅＮＢ２０がＳ−ＲＬＦに関する情報を通知することによって、Ｓ−ＲＬＦの復旧を速やかに実行できることとなる。
【実施例３】
【００６４】
つぎに、実施例３について説明する。ここでは、図９〜図１２を用いて説明する。図９、図１０は、実施例３にかかる第３−１無線通信システム１３０、第３−２無線通信システム１３２の構成例をそれぞれ示す図である。図１１、図１２は、それぞれ、図９、図１０の動作例を示すシーケンス図である。
【００６５】
実施例３は、図９、１０に示す第３−１無線通信システム１３０、第３−２無線通信システム１３２において、図中にそれぞれ「ｘ」にて示したように、ＵＥ３０が、Ｓｃｅｌｌ５２にて発生したＳ−ＲＬＦを検出した場合におけるＳ−ＲＬＦに関する情報の通知に関する例である。図９＆図１１と図１０＆図１２との相違点は、Ｓ−ＲＬＦの通知先がＭｅＮＢ１０であるかＳｅＮＢ２０であるかという点である。以下においては、図９、１０にそれぞれ示した（１）〜（４）と、図１１、１２にそれぞれ示したＳ３０〜Ｓ３６、Ｓ４０〜Ｓ４８とを対応させながら、実施例３のシーケンスをそれぞれ説明する。
【００６６】
（１）まず、ＵＥ３０が、ＵＥ制御部３４により、Ｓｃｅｌｌ５２のＳ−ＲＬＦを検出する（Ｓ３０、Ｓ４０）。
【００６７】
（図９＆図１１の場合）
（２）つぎに、ＵＥ３０は、ＭｅＮＢ１０におけるＰＣｅｌｌ４２に対して、S-RLF indication type 2、type 4、もしくはtype 6が示されたＳ−ＲＬＦに関する情報を通知する（Ｓ３２）。あるいは、S-RLF indication type 2、type 4、もしくはtype 6の別は、ＵＥ制御部３４によるＳ−ＲＬＦの検出結果にしたがって、選択される。
（３）Ｓ−ＲＬＦに関する情報をＭｅＮＢ１０のＰｃｅｌｌ４２に通知した場合（図９＆図１１）、ＭｅＮＢ１０のＭｅＮＢ制御部１４は、ＳｅＮＢ２０に対して、Ｓｃｅｌｌ５２のactivation / deactivation procedureを要求する（Ｓ３４、Ｓ３６）。（４）最後に、ＭｅＮＢ１０は、実行したアクションにあわせて、ＵＥ３０の設定を変更するためのＲｅｃｏｎｆｉｇｕｒａｔｉｏｎ処理を実施する。
【００６８】
（図１０＆図１２の場合）
（２）ＵＥ３０は、ＳｅＮＢ２０におけるＰＳｃｅｌｌ５４に対して、S-RLF indication type 2、type 4、もしくはtype 6が示されたＳ−ＲＬＦに関する情報を通知する（Ｓ４２）。
（３）一方、Ｓ−ＲＬＦに関する情報をＳｅＮＢ２０のＰＳｃｅｌｌ５４に通知した場合（図１０＆図１２）、ＳｅＮＢ２０のＳｅＮＢ制御部２４は、Ｓ−ＲＬＦに係るＳｃｅｌｌ５２のactivates/deactivate処理を実施し（Ｓ４４）、その旨をＭｅＮＢ１０に報告する（Ｓ４６）。（４）最後に、ＭｅＮＢ１０は、実行したアクションにあわせて、ＵＥ３０の設定を変更するためのＲｅｃｏｎｆｉｇｕｒａｔｉｏｎ処理を実施する（Ｓ４８）。
【００６９】
以上のような態様によると、Ｄｕａｌ  Ｃｏｎｎｅｃｔｉｖｉｔｙの制御の中心となるべきＭｅＮＢ１０にＵＥ３０がＳ−ＲＬＦに関する情報を通知することによって、Ｓ−ＲＬＦの復旧を速やかに実行できることとなる。
【００７０】
また、ＵＥ３０がＳｅＮＢ２０に対してＳ−ＲＬＦに関する情報を直接通知することによって、ＳｅＮＢ２０自身が速やかにＳ−ＲＬＦにかかるＳｃｅｌｌ５２の切り替え処理を実行することができ、もって、Ｄｕａｌ  Ｃｏｎｎｅｃｔｉｖｉｔｙ通信を速やかに復旧できることとなる。
【００７１】
ＵＥ３０は、Ｓ−ＲＬＦの通知先として、ＭｅＮＢ１０、ＳｅＮＢ２０のいずれかを選択してもよい。この選択は、Ｐｃｅｌｌ４２とＰＳｃｅｌｌ５４のうち、いずれのセルとの通信状態が良好であるかによって、二者択一的に決定されてもよい。このような態様によれば、より好ましい経路が選択されるため、より速やかにＳ−ＲＬＦの状態を復旧できる可能性があるからである。一方、ＵＥ３０は、選択することなく、ＭｅＮＢ１０とＳｅＮＢ２０の双方にＳ−ＲＬＦに関する情報を送信してもよい。このような態様により、より速やかに、Ｓ−ＲＬＦの状態を復旧できる可能性があるからである。
【実施例４】
【００７２】
つぎに、実施例４について説明する。ここでは、図１３〜図１６を用いて説明する。図１３、図１４は、実施例４にかかる第４−１無線通信システム１４０、第４−２無線通信システム１４２の構成例をそれぞれ示す図である。図１５、図１６は、それぞれ、図１３、図１４の動作例を示すシーケンス図である。
【００７３】
実施例４は、図１３、１４に示す第４−１無線通信システム１４０、第４−２無線通信システム１４２において、図中にそれぞれ「ｘ」にて示したように、ＳｅＮＢ２０が、ＵＥ３０とＳｃｅｌｌ５２の双方で発生したＳ−ＲＬＦを検出した場合におけるＳ−ＲＬＦに関する情報の通知に関する例である。図１３＆図１５と図１４＆図１６との相違点は、Ｓ−ＲＬＦを検知したＳｅＮＢ２０がＭｅＮＢ１０にまず報告を行った上で、Ｓ−ＲＬＦにかかるＳｃｅｌｌ５２のactivation / deactivation procedureを行うか、あるいは、自律的に行うかという点である。以下においては、図１３、１４にそれぞれ示した（１）〜（４）と、図１５、１６にそれぞれ示したＳ５０〜Ｓ５６、Ｓ６０〜Ｓ６６とを対応させながら、実施例４のシーケンスをそれぞれ説明する。
【００７４】
（１）まず、ＳｅＮＢ２０が、ＳｅＮＢ制御部２４により、Ｓｃｅｌｌ５２のＳ−ＲＬＦを検出する（Ｓ５０、Ｓ６０）。
【００７５】
（図１３＆図１５の場合）
（２）つぎに、ＳｅＮＢ２０は、ＭｅＮＢ１０におけるＰＣｅｌｌ４２に対して、S-RLF indication type 8、もしくはtype 10が示されたＳ−ＲＬＦに関する情報を通知する（Ｓ５２）。S-RLF indication type 8、もしくはtype 10の別は、ＳｅＮＢ制御部２４によるＳ−ＲＬＦの検出結果にしたがって、選択される。
（３）ここで、ＭｅＮＢ１０がＳｅＮＢ２０から通知されたＳ−ＲＬＦに関する情報を受信すると、受信した情報の内容に応じたアクションを実行する（Ｓ５４）。実行されるアクションとしては、たとえば、Ｓｃｅｌｌ５２のactivation/deactivation処理を行ってもよい（Ｓ５６）。
（４）最後に、ＭｅＮＢ１０は、ＳｅＮＢ２０において実行されたアクションにあわせて、ＵＥ３０の設定を変更するためのＲｅｃｏｎｆｉｇｕｒａｔｉｏｎ処理を実施する（Ｓ５６）。
【００７６】
（図１４＆図１６の場合）
（２）ＳｅＮＢ２０のＳｅＮＢ制御部２４は、自身が検知したＳ−ＲＬＦにかかるＳｃｅｌｌ５２のactivation/deactivation処理を行う（Ｓ６２）。
（３）ついで、ＳｅＮＢ２０は、ＭｅＮＢ１０におけるＰＣｅｌｌ４２に対して、Ｓｃｅｌｌ５２のactivation/deactivation処理が完了した旨を報告する（Ｓ６４）
（４）最後に、ＭｅＮＢ１０は、ＳｅＮＢ２０において実行されたアクションにあわせて、ＵＥ３０の設定を変更するためのＲｅｃｏｎｆｉｇｕｒａｔｉｏｎ処理を実施する（Ｓ６６）。
【００７７】
以上のような態様によると、Ｄｕａｌ  Ｃｏｎｎｅｃｔｉｖｉｔｙの制御の中心となるべきＭｅＮＢ１０にＳｅＮＢ２０がＳ−ＲＬＦに関する情報を通知することによって、Ｓ−ＲＬＦの復旧を速やかに実行できることとなる。また、ＭｅＮＢ１０への報告を後回しにして、Ｓ−ＲＬＦが発生したＳｃｅｌｌ５２への対処を優先させることによって、より速やかにＳ−ＲＬＦを復旧できることとなる。
【実施例５】
【００７８】
（実施例１〜４の変形例）
つぎに、実施例５について説明する。実施例５は、実施例１〜４の変形例である。図１７は、本発明の変形例にかかる第５無線通信システム１５０を示す図である。本変形例は、図中にそれぞれ「ｘ」にて示したように、ＵＥ３０がＳｃｅｌｌ４４で発生したＲＬＦを検出した場合におけるＲＬＦに関する情報の通知に関する例である。
【００７９】
このような場合、ＵＥ３０は、ＰＣｅｌｌ４２に対して、ＲＬＦに関する情報を通知する。通知されたＭｅＮＢ１０は、ＲＬＦにかかるＳｃｅｌｌ４４について、activation/deactivation処理を実施するとともに、ＵＥ３０に対する再設定処理を行うこととなる。
【００８０】
また、他の変形例としては、ＭｅＮＢ１０自身が、Ｓｃｅｌｌ４４におけるＲＬＦを検出してもよい。この場合、速やかにＲＬＦにかかるＳｃｅｌｌ４４について、activation/deactivation処理を実施できることとなる。
【００８１】
また、他の変形例としては、ＭｅＮＢ１０自身が、実施例１〜４で述べたようなＳｅＮＢ２０のＰＳｃｅｌｌ５４、Ｓｃｅｌｌ５２におけるＳ−ＲＬＦを検出してもよい。たとえば、検出の方法としては、ＵＥ３０からＭｅＮＢ１０に通知される周辺基地局に関するＭｅａｓｕｒｅｍｅｎｔＲｅｐｏｒｔを参照し、その時間変化を観測することで可能となる。これにより、ＭｅＮＢ１０は、ＳｅＮＢ２０やＵＥ３０からのＳ−ＲＬＦに関する情報の通知を待つことなく、速やかにＳ−ＲＬＦにかかるセルの復旧処理を開始することができる。
【００８２】
また、他の変形例としては、ＭｅＮＢ１０におけるＳ−ＲＬＦの復旧処理は、同一のセルについてのＳ−ＲＬＦに関する情報を所定の時間内に一定の回数受け取ったことを契機として開始されてもよい。所定の時間や一定の回数は、過去のＳ−ＲＬＦの履歴によって変化してもよいし、上位レイヤから指定されてもよい。たとえば、ＵＥ３０からS-RLF indication type 1を受け取っただけでなく、ＳｅＮＢ２０からも同様のＳ−ＲＬＦ発生要因＆同一のセルに対する通知となるS-RLF indication type 7を受け取ったような場合が想定される。このような態様により、Ｓ−ＲＬＦの検出精度を高められ、Ｓ−ＲＬＦの誤検出による無用な復旧処理を低減できることとなる。
【実施例６】
【００８３】
つぎに、実施例６について説明する。ここでは、図１８と図１９を用いて説明する。図１８は、実施例６にかかる第６無線通信システム１６０の構成例を示す図である。図１９は、図１８の動作例を示すシーケンス図である。
【００８４】
実施例６は、図１８に示す第６無線通信システム１６０において、図中に「ｘ」にて示したように、ＳｅＮＢ２０とＵＥ３０との通信で使用されるセルであるＳｃｅｌｌ５２で発生した通信品質劣化状態が検出されて、通信品質劣化状態に関する情報が通知された後の転送処理に関する例である。転送にかかる経路は、図中において一転破線の矢印で示しており、実施例７〜１０において同様とする。以下においては、図１８に示した（１）〜（４）と図１９に示したＳ７０〜Ｓ７８とを対応させながら、実施例６のシーケンスを説明する。
【００８５】
（１）まず、ＳｅＮＢ制御部２４は、ＵＥ３０との通信で使用しているＳｃｅｌｌ５２で生じた通信品質劣化状態を認識する（Ｓ７０）。Ｓｃｅｌｌ５２における通信品質劣化状態の認識は、実施例３〜５に示したように、ＵＥ３０から通知され、もしくは、ＳｅＮＢ制御部２４が自ら検知したことによりなされてもよい。
【００８６】
（２）つぎに、ＳｅＮＢ制御部２４は、通信品質劣化状態となったＳｃｅｌｌ５２のdeactivation処理、ならびに、ｎｅｗＳｃｅｌｌ５９のactivation処理を行う（Ｓ７２）。さらに、ＳｅＮＢ送信部２２は、ｎｅｗＳｃｅｌｌ５９に対して、通信品質劣化状態となったＳｃｅｌｌ５２にてＵＥ３０に送信する予定であった未送信データを転送する（Ｓ７２）。
【００８７】
（３）その後、ＳｅＮＢ送信部２２は、ＭｅＮＢ１０に対して、Ｓｃｅｌｌ５２のdeactivation処理ならびにｎｅｗＳｃｅｌｌ５９のactivation処理の完了を通知する（Ｓ７４）。
【００８８】
（４）最後に、ＭｅＮＢ１０は、ＳｅＮＢ２０において実行されたアクションにあわせて、ＵＥ３０の設定を変更するためのＲｅｃｏｎｆｉｇｕｒａｔｉｏｎ処理を実施し（Ｓ７６）、その処理の終了後、ＵＥ３０は、処理が完了した旨をＭｅＮＢ１０に通知する（Ｓ７８）。
【００８９】
以上のような態様によると、ＭｅＮＢ１０に対して、通信品質劣化状態となったＳｃｅｌｌ５２のdeactivation処理、ならびに、ｎｅｗＳｃｅｌｌ５９のactivation処理の完了報告に先だって、データの転送処理を実施することによって、より速やかに未送信データを保護することができる。
【実施例７】
【００９０】
つぎに、実施例７について説明する。ここでは、図２０と図２１を用いて説明する。図２０は、実施例７にかかる第７無線通信システム１７０の構成例を示す図である。図２１は、図２０の動作例を示すシーケンス図である。
【００９１】
実施例７は、図２０に示す第７無線通信システム１７０において、図中に「ｘ」にて示したように、ＳｅＮＢ２０とＵＥ３０との通信の使用せるであるＰＳｃｅｌｌ５４において発生した通信品質劣化状態が検出されて、通信品質劣化状態に関する情報が通知された後の処理に関する例である。以下においては、図２０に示した（１）〜（４）と図２１に示したＳ８０〜Ｓ９０とを対応させながら、実施例７のシーケンスを説明する。
【００９２】
（１）まず、ＭｅＮＢ１０は、ＵＥ３０との通信で使用しているＰＳｃｅｌｌ５４で生じた通信品質劣化状態を認識する（Ｓ８０）。ＰＳｃｅｌｌ５４における通信品質劣化状態の認識は、実施例１、２に示したように、ＵＥ３０から通知され、もしくは、ＳｅＮＢ２０から通知されたことによりなされてもよい。
【００９３】
（２）つぎに、ＭｅＮＢ送信部１２は、ＰＳｃｅｌｌ５４の変更要求をＳｅＮＢ２０に指示する（Ｓ８２）。ＳｅＮＢ制御部２４は、通信品質劣化状態となったＰＳｃｅｌｌ５４の変更処理を行う（Ｓ８４）。変更処理は、ＰＳｃｅｌｌ５４のdeactivation処理、ならびに、ｎｅｗＰＳｃｅｌｌ５８のactivation処理がなされてもよい。さらに、ＳｅＮＢ送信部２２は、ｎｅｗＰＳｃｅｌｌ５８に対して、通信品質劣化状態となったＰＳｃｅｌｌ５４にてＵＥ３０に送信する予定であった未送信データを転送する（Ｓ８４）。
【００９４】
（３）その後、ＳｅＮＢ送信部２２は、ＭｅＮＢ１０に対して、ＰＳｃｅｌｌ５４の変更処理の完了を通知する（Ｓ８６）。
（４）最後に、ＭｅＮＢ１０は、ＳｅＮＢ２０において実行されたアクションにあわせて、ＵＥ３０の設定を変更するためのＲｅｃｏｎｆｉｇｕｒａｔｉｏｎ処理を実施し（Ｓ８８）、その処理の終了後、ＵＥ３０は、処理が完了した旨をＭｅＮＢ１０に通知する（Ｓ９０）。
【００９５】
以上のような態様によると、ＭｅＮＢ１０に対して、通信品質劣化状態となったＰＳｃｅｌｌ５４の変更処理の完了報告に先だって、データの転送処理を実施することによって、より速やかに未送信データを保護することができる。
【実施例８】
【００９６】
つぎに、実施例８について説明する。ここでは、図２２と図２３を用いて説明する。図２２は、実施例８にかかる第８無線通信システム１８０の構成例を示す図である。図２３は、図２２の動作例を示すシーケンス図である。
【００９７】
実施例８は、図２２に示す第８無線通信システム１８０において、図中に「ｘ」にて示したように、ＳｅＮＢ２０におけるＵＥ３０との通信をおこなっているすべてのセルであるＰＳｃｅｌｌ５４、Ｓｃｅｌｌ５２において通信品質劣化状態が検出され、通信品質劣化状態に関する情報が通知された後の処理に関する例である。以下においては、図２２に示した（１）〜（４）と図２３に示したＳ１００〜Ｓ１０８とを対応させながら、実施例８のシーケンスを説明する。
【００９８】
（１）まず、ＭｅＮＢ１０は、ＵＥ３０との通信で使用しているＰＳｃｅｌｌ５４、Ｓｃｅｌｌ５２で生じた通信品質劣化状態を認識する（Ｓ１００）。ＰＳｃｅｌｌ５４、Ｓｃｅｌｌ５２における通信品質劣化状態の認識は、実施例１〜５に示したように、ＵＥ３０から通知され、もしくは、ＳｅＮＢ２０から通知されたことによりなされてもよい。
【００９９】
（２）つぎに、ＭｅＮＢ送信部１２は、ＳｅＮＢ２０のリリースならびに未送信データの転送要求をＳｅＮＢ２０に指示する（Ｓ１０２）。ＳｅＮＢ制御部２４は、通信品質劣化状態となったＰＳｃｅｌｌ５４、Ｓｃｅｌｌ５２のすべてをdeactivation処理し、リリース処理を行う。さらに、ＳｅＮＢ送信部２２は、ＭeＮＢ１０に対して、通信品質劣化状態となったＰＳｃｅｌｌ５４、Ｓｃｅｌｌ５２にてＵＥ３０に送信する予定であったすべての未送信データを転送する。転送先は、ＰＳｃｅｌｌ５４に対応する未送信データはＰＣｅｌｌ４２に、Ｓｃｅｌｌ５２に対応する未送信データはＳｃｅｌｌ４４になされてもよい。
【０１００】
（３）その後、ＳｅＮＢ送信部２２は、ＭｅＮＢ１０に対して、その完了報告をＭｅＮＢ１０に行う（Ｓ１０４）。
（４）最後に、ＭｅＮＢ１０は、ＳｅＮＢ２０において実行されたアクションにあわせて、ＵＥ３０の設定を変更するためのＲｅｃｏｎｆｉｇｕｒａｔｉｏｎ処理を実施し（Ｓ１０６）、その処理の終了後、ＵＥ３０は、処理が完了した旨をＭｅＮＢ１０に通知する（Ｓ１０８）。
【０１０１】
以上のような態様によると、ＳｅＮＢ２０自体をリリースする必要があるような通信品質劣化状態となったような場合でも、ＭｅＮＢ１０に未送信データを速やかに転送することによって、ＵＥ３０に対するデータパケットの損失を回避できる。
【実施例９】
【０１０２】
つぎに、実施例９について説明する。ここでは、図２４と図２５を用いて説明する。図２４は、実施例９にかかる第９無線通信システム１９０の構成例を示す図である。図２５は、図２４の動作例を示すシーケンス図である。第９無線通信システム１９０は、転送先のＳｅＮＢとして、ＴａｒｇｅｔＳｅＮＢ６０が図示されている。ここで、ＭｅＮＢ１０とＳｅＮＢ２０とＴａｒｇｅｔＳｅＮＢ６０とは、互いにｂａｃｋｈａｕｌ回線で接続されていてもよい。
【０１０３】
実施例９は、図２４に示す第９無線通信システム１９０において、図中に「ｘ」にて示したように、ＳｅＮＢ２０におけるＵＥ３０との通信をおこなっているすべてのセルであるＰＳｃｅｌｌ５４、Ｓｃｅｌｌ５２において通信品質劣化状態が検出され、通信品質劣化状態に関する情報が通知された後の処理に関する例である。以下においては、図２４に示した（１）〜（５）と図２５に示したＳ１１０〜Ｓ１２４とを対応させながら、実施例９のシーケンスを説明する。
【０１０４】
（１）まず、ＭｅＮＢ１０は、ＵＥ３０との通信で使用しているＰＳｃｅｌｌ５４、Ｓｃｅｌｌ５２で生じた通信品質劣化状態を認識する（Ｓ１１０）。ＰＳｃｅｌｌ５４、Ｓｃｅｌｌ５２における通信品質劣化状態の認識は、実施例１〜５に示したように、ＵＥ３０から通知され、もしくは、ＳｅＮＢ２０から通知されたことによりなされてもよい。
【０１０５】
（２）つぎに、ＭｅＮＢ送信部１２は、ＳｅＮＢ２０のリリースならびに未送信データの転送要求をＳｅＮＢ２０に指示する（Ｓ１１２）。ＳｅＮＢ制御部２４は、通信品質劣化状態となったＰＳｃｅｌｌ５４、Ｓｃｅｌｌ５２のすべてをdeactivation処理し、リリース処理を行う。さらに、ＳｅＮＢ送信部２２は、ＭＥＮＢ１０に対して、通信品質劣化状態となったＰＳｃｅｌｌ５４、Ｓｃｅｌｌ５２にてＵＥ３０に送信する予定であったすべての未送信データを転送する。
【０１０６】
（３）その後、ＳｅＮＢ送信部２２は、ＭｅＮＢ１０に対して、その完了報告をＭｅＮＢ１０に行う（Ｓ１１４）。
【０１０７】
（４）ここで、ＭｅＮＢ１０は、ＴａｒｇｅｔＳｅＮＢ６０に対して、当該Ｄｕａｌ  Ｃｏｎｎｅｃｔｉｖｉｔｙ構成の１つとしてのＳｅＮＢとなるべく、追加要求を行う（Ｓ１１６）。この要求を受けて、ＴａｒｇｅｔＳｅＮＢ６０は、自身のＳＣＧのコンポーネントキャリアにＰＳｃｅｌｌ、Ｓｃｅｌｌを設定し、ＭｅＮＢ１０にその結果を報告する（Ｓ１１８）。その後、ＭｅＮＢ１０は、ＴａｒｇｅｔＳｅＮＢ６０のプライマリセルに対し、ＳｅＮＢ２０から転送されていた未送信データを転送する（Ｓ１２０）。転送先は、ＰＳｃｅｌｌ５４に対応する未送信データはＴａｒｇｅｔＳｅＮＢ６０のＰＳＣｅｌｌに、Ｓｃｅｌｌ５２に対応する未送信データはＴａｒｇｅｔＳｅＮＢ６０のＳｃｅｌｌになされてもよい。
【０１０８】
（５）最後に、ＭｅＮＢ１０は、ＳｅＮＢ２０において実行されたアクションにあわせて、ＵＥ３０の設定を変更するためのＲｅｃｏｎｆｉｇｕｒａｔｉｏｎ処理を実施し（Ｓ１２２）、その処理の終了後、ＵＥ３０は、処理が完了した旨をＭｅＮＢ１０に通知する（Ｓ１２４）。
【０１０９】
以上のような態様によると、ＳｅＮＢ２０自体をリリースする必要があるような通信品質劣化状態となったような場合でも、ＭｅＮＢ１０を介して、新たな接続先となるＴａｒｇｅｔＳｅＮＢ６０に未送信データを速やかに転送することによって、ＵＥ３０に対するデータパケットの損失を回避できる。
【実施例１０】
【０１１０】
つぎに、実施例１０について説明する。ここでは、図２６と図２７を用いて説明する。図２６は、実施例１０にかかる第１０無線通信システム２００の構成例を示す図である。図２７は、図２６の動作例を示すシーケンス図である。
【０１１１】
実施例１０は、図２６に示す第１０無線通信システム２００において、図中に「ｘ」にて示したように、ＳｅＮＢ２０におけるＵＥ３０との通信をおこなっているすべてのセルであるＰＳｃｅｌｌ５４、Ｓｃｅｌｌ５２において通信品質劣化状態が検出され、通信品質劣化状態に関する情報が通知された後の処理に関する例である。以下においては、図２６に示した（１）〜（５）と図２７に示したＳ１３０〜Ｓ１４４とを対応させながら、実施例１０のシーケンスを説明する。
【０１１２】
（１）まず、ＭｅＮＢ１０は、ＵＥ３０との通信で使用しているＰＳｃｅｌｌ５４、Ｓｃｅｌｌ５２で生じた通信品質劣化状態を認識する（Ｓ１３０）。ＰＳｃｅｌｌ５４、Ｓｃｅｌｌ５２における通信品質劣化状態の認識は、実施例１〜５に示したように、ＵＥ３０から通知され、もしくは、ＳｅＮＢ２０から通知されたことによりなされてもよい。
【０１１３】
（２）つぎに、ＭｅＮＢ１０は、ＴａｒｇｅｔＳｅＮＢ６０に対して、当該Ｄｕａｌ  Ｃｏｎｎｅｃｔｉｖｉｔｙ構成の１つとしてのＳｅＮＢとなるべく、追加要求を行う（Ｓ１３２）。この要求を受けて、ＴａｒｇｅｔＳｅＮＢ６０は、自身のＳＣＧのコンポーネントキャリアにＰＳｃｅｌｌ、Ｓｃｅｌｌを設定し、ＭｅＮＢ１０にその結果を報告する（Ｓ１３４）。
【０１１４】
（３）ついで、ＭｅＮＢ送信部１２は、ＳｅＮＢ２０のリリースならびに未送信データの転送要求をＳｅＮＢ２０に指示する（Ｓ１３６）。
【０１１５】
（４）ここで、ＳｅＮＢ２０は、ＴａｒｇｅｔＳｅＮＢ６０のプライマリセルに対し、通信品質劣化状態となったＰＳｃｅｌｌ５４、Ｓｃｅｌｌ５２にてＵＥ３０に送信する予定であったすべての未送信データを転送する（Ｓ１３８）。転送先は、ＰＳｃｅｌｌ５４に対応する未送信データはＴａｒｇｅｔＳｅＮＢ６０のＰＳＣｅｌｌに、Ｓｃｅｌｌ５２に対応する未送信データはＴａｒｇｅｔＳｅＮＢ６０のＳｃｅｌｌになされてもよい。ついで、ＳｅＮＢ制御部２４は、通信品質劣化状態となったＰＳｃｅｌｌ５４、Ｓｃｅｌｌ５２のすべてをdeactivation処理し、リリース処理を行う。その後、ＳｅＮＢ送信部２２は、ＭｅＮＢ１０に対して、その完了報告をＭｅＮＢ１０に行う（Ｓ１４０）。
【０１１６】
（５）最後に、ＭｅＮＢ１０は、ＳｅＮＢ２０において実行されたアクションにあわせて、ＵＥ３０の設定を変更するためのＲｅｃｏｎｆｉｇｕｒａｔｉｏｎ処理を実施し（Ｓ１４２）、その処理の終了後、ＵＥ３０は、処理が完了した旨をＭｅＮＢ１０に通知する（Ｓ１４４）。
【０１１７】
以上のような態様によると、ＳｅＮＢ２０自体をリリースする必要があるような通信品質劣化状態となったような場合でも、ＭｅＮＢ１０を介さずに、新たな接続先となるＴａｒｇｅｔＳｅＮＢ６０に未送信データを直接転送することによって、ＵＥ３０に対するデータパケットの損失を効率的に回避できる。
【０１１８】
以上、本発明を実施例をもとに説明した。本発明は上述した実施例並びに各実施例の内容に限定されるものではなく、本発明の要旨の範囲内において種々に変形して実施をすることが可能である。上記実施例は例示であり、各実施例を組み合わせるなどして、それらの各構成要素や各処理プロセスの組み合わせにいろいろな変形例が可能なこと、またそうした変形例も本発明の範囲にあることは当業者に理解されるところである。
【図面の簡単な説明】
【０１１９】
【図１】本発明の実施形態にかかる無線通信システムを示す図である。
【図２】図１のＭｅＮＢの構成例を示す図である。
【図３】図１のＳｅＮＢの構成例を示す図である。
【図４】図１のＵＥの構成例を示す図である。
【図５】実施例１にかかる第１無線通信システムを示す図である。
【図６】図５の動作例を示すシーケンス図である。
【図７】実施例２にかかる第２無線通信システムを示す図である。
【図８】図７の動作例を示すシーケンス図である。
【図９】実施例３にかかる第３‐１無線通信システムを示す図である。
【図１０】実施例３にかかる第３‐２無線通信システムを示す図である。
【図１１】図９の動作例を示すシーケンス図である。
【図１２】図１０の動作例を示すシーケンス図である。
【図１３】実施例４にかかる第４‐１無線通信システムを示す図である。
【図１４】実施例４にかかる第４‐２無線通信システムを示す図である。
【図１５】図１３の動作例を示すシーケンス図である。
【図１６】図１４の動作例を示すシーケンス図である。
【図１７】本発明の実施例１〜４の変形例にかかる第５無線通信システムを示す図である。
【図１８】実施例６にかかる第６無線通信システムを示す図である。
【図１９】図１８の動作例を示すシーケンス図である。
【図２０】実施例７にかかる第７無線通信システムを示す図である。
【図２１】図２０の動作例を示すシーケンス図である。
【図２２】実施例８にかかる第８無線通信システムを示す図である。
【図２３】図２２の動作例を示すシーケンス図である。
【図２４】実施例９にかかる第９無線通信システムを示す図である。
【図２５】図２４の動作例を示すシーケンス図である。
【図２６】実施例１０にかかる第１０無線通信システムを示す図である。
【図２７】図２６の動作例を示すシーケンス図である。
【符号の説明】
【０１２０】
１０  ＭｅＮＢ、  １２  ＭｅＮＢ送信部、  １４  ＭｅＮＢ制御部、  １６  ＭｅＮＢ記憶部、  ２０  ＳｅＮＢ、  ２２  ＳｅＮＢ送信部、  ２４  ＳｅＮＢ制御部、  ２６  ＳｅＮＢ記憶部、  ３０  ＵＥ、  ３２  ＵＥ送信部、  ３４  ＵＥ制御部、  ３６  ＵＥ記憶部、  ３８  ユーザＩＦ、  ４０  ＭＣＧ、  ４２  ＰＣｅｌｌ、  ４４  Ｓｃｅｌｌ、  ４６  ＮｏｔＳｅｒｖｉｎｇＣｅｌｌ、  ５２  Ｓｃｅｌｌ、  ５４  ＰＳｃｅｌｌ、  ５６  ＮｏｔＳｅｒｖｉｎｇＣｅｌｌ、  ５８  ｎｅｗＰＳｃｅｌｌ、  ５９  ｎｅｗＳｃｅｌｌ、６０  ＴａｒｇｅｔＳｅＮＢ、  １００  無線通信システム、  １１０  第１無線通信システム、  １２０  第２無線通信システム、  １３０  第３−１無線通信システム、  １３２  第３−２無線通信システム、  １４０  第４−１無線通信システム、  １４２  第４−２無線通信システム、  １５０  第５無線通信システム、  １６０  第６無線通信システム、  １７０  第７無線通信システム、  １８０  第８無線通信システム、  １９０  第９無線通信システム、  ２００  第１０無線通信システム。
【図１】
2015177400.tif 000003
【図２】
2015177400.tif 000004
【図３】
2015177400.tif 000005
【図４】
2015177400.tif 000006
【図５】
2015177400.tif 000007
【図６】
2015177400.tif 000008
【図７】
2015177400.tif 000009
【図８】
2015177400.tif 000010
【図９】
2015177400.tif 000011
【図１０】
2015177400.tif 000012
【図１１】
2015177400.tif 000013
【図１２】
2015177400.tif 000014
【図１３】
2015177400.tif 000015
【図１４】
2015177400.tif 000016
【図１５】
2015177400.tif 000017
【図１６】
2015177400.tif 000018
【図１７】
2015177400.tif 000019
【図１８】
2015177400.tif 000020
【図１９】
2015177400.tif 000021
【図２０】
2015177400.tif 000022
【図２１】
2015177400.tif 000023
【図２２】
2015177400.tif 000024
【図２３】
2015177400.tif 000025
【図２４】
2015177400.tif 000026
【図２５】
2015177400.tif 000027
【図２６】
2015177400.tif 000028
【図２７】
2015177400.tif 000029